(57)【特許請求の範囲】
【請求項１】
対応する電子的撮像装置とは別体に構成された筐体部と、
上記電子的撮像装置による撮影条件に係る情報を計測する計測手段と、
自己の上記筐体部および上記電子的撮像装置のいずれにも収容または接続するために適合する記録媒体を着脱自在なコネクタ手段と、
上記計測手段により計測された撮影条件に係る情報を、上記記録媒体に格納する情報格納手段と、
を具備することを特徴とするトランスミッタ装置。
【請求項２】
撮影条件に係る情報を計測するための計測手段と、自己の筐体部に着脱自在な記録媒体に上記撮影条件に係る情報を格納する情報格納手段とを有してなる別体のトランスミッタ装置に対応する電子的撮像装置であって、
上記記録媒体を着脱自在としたコネクタ手段と、
上記コネクタ手段に装着された上記記録媒体から上記撮影条件に係る情報を受け取るための情報受取手段と、
少なくとも上記情報受取手段によって受け取られた撮影条件に係る情報に基づいて該当する撮影条件を設定することを可能にするための撮影条件設定手段と、
を具備することを特徴とする電子的撮像装置。
【請求項３】
対応する電子的撮像装置とは別体に構成された筐体部と、上記電子的撮像装置による撮影条件に係る情報を計測する計測手段と、自己の上記筐体部および上記電子的撮像装置のいずれにも収容または接続するために適合する記録媒体を着脱自在な第１のコネクタ手段と、上記計測手段により計測された撮影条件に係る情報を、上記記録媒体に格納する情報格納手段とを具備したトランスミッタ装置と、
上記記録媒体を着脱自在とした第２のコネクタ手段と、該第２のコネクタ手段に装着された上記記録媒体から上記撮影条件に係る情報を受け取るための情報受取手段と、少なくとも上記情報受取手段によって受け取られた撮影条件に係る情報に基づいて該当する撮影条件を設定することを可能にするための撮影条件設定手段とを具備した撮像装置と、
を具備したことを特徴とする電子的撮像装置。
【請求項４】
少なくとも上記計測手段による計測と上記情報格納手段による格納を指示する操作部と、上記計測手段により計測された上記撮影条件に係る情報を表示する表示部を、さらに具備したことを特徴とする請求項１または３に記載のトランスミッタ装置。
【請求項５】
上記計測手段は、測光手段を含んでいることを特徴とする請求項１、３または４に記載のトランスミッタ装置。
【請求項６】
上記計測手段は、測色手段を含んでいることを特徴とする請求項１、３または４に記載のトランスミッタ装置。
【請求項７】
上記計測手段は、測距手段を含んでいることを特徴とする請求項１、３または４に記載のトランスミッタ装置。
【請求項８】
撮影条件に係る情報を計測するための計測手段と、
上記計測手段による撮影条件に係る情報である第１の情報と、
上記記録媒体から上記情報受取手段によって受け取られた撮影条件に係る情報である第２の情報と、
上記第１の情報または第２の情報のいずれか一方の情報を優先的に用いて自己の該当する撮影条件を設定する優先手段と、
を具備することを特徴とする請求項２または３に記載の電子的撮像装置。
【請求項９】
上記優先手段は、上記第２の情報に優先的に依拠して自己の該当する撮影条件を設定するようにしたことを特徴とする請求項８に記載の電子的撮像装置。
【請求項１０】
撮影条件に係る情報を計測するための計測手段と、
上記計測手段による撮影条件に係る情報である第１の情報と、
上記記録媒体を上記コネクタ手段に装着することにより上記情報受取手段によって受け取られた、上記トランスミッタ装置にて計測された撮影条件に係る情報である第２の情報と、
上記第１の情報と第２の情報の双方の情報に基づく情報に依拠して自己の該当する撮影条件を設定する演算手段と、
を具備することを特徴とする請求項２または３に記載の電子的撮像装置。
【請求項１１】
撮影条件に係る情報を計測するための計測手段と、
上記計測手段によって計測された撮影条件に係る情報である第１の情報と、
上記記録媒体を上記コネクタ手段に装着することにより上記情報受取手段によって受け取られた、上記トランスミッタ装置にて計測された撮影条件に係る情報である第２の情報と、
上記第１の情報または第２の情報のいずれか一方の情報を優先的に用いて自己の該当する撮影条件を設定する第１のモードと、
上記第１の情報と第２の情報との双方の情報に基づく情報に依拠して該当する撮影条件を設定する第２のモードと、
上記第１のモードと第２のモードの少なくとも２つのモードのうちのいずれか一方のモードを切換選択可能なモード選択手段と、
を具備することを特徴とする請求項２または３に記載の電子的撮像装置。
【発明の詳細な説明】
【０００１】
【産業上の利用分野】
この発明は、トランスミッタ装置、詳しくは計測手段である露出計等によって計測された撮影条件に係る情報等を、着脱自在な記録媒体を介して電子的撮像装置に供給するようになしたトランスミッタ装置、および、これを使用する電子的撮像装置に関するものである。
【０００２】
【従来の技術】
電子的撮像装置等における被写体の露出計測の方法としては、従来より、入射光式と反射光式の測光方式が、それぞれ一般的に実用化されている。
ここで、上記入射光式の測光方式とは、図１４に示すように、電子的撮像装置であるカメラ１０１による撮像が行なわれる際に、この撮像に先立って撮像環境の測光が行なわれる。この場合において、上記カメラ１０１の撮像視野内において光源１０２から発せられ、被写体１０３に入射（照射）する光の照度、すなわち、被写体面照度を、上記被写体１０３の主要被写体面の直前において、計測手段であり計測器である単体露出計１０４等によって測光を行なって、その撮像環境下における露出値を決定する方式をいうものである。
【０００３】
上記入射光式の測光方式を適用する計測器は、上述のように、例えば単体露出計１０４等として広く利用されているものである。この入射光式の測光方式により、上記カメラ１０１の撮像視野内に位置する上記被写体１０３の直前において計測された情報等は、計測者（撮影者）等によって上記被写体１０３の被写体位置から、上記カメラ本体１０１が設置されている撮影位置まで移動せられることにより、この情報等に基づいて決定された露出値等、つまり、上記計測手段により計測された撮影条件に係る情報等を、上記カメラ１０１側に供給するようにしたものである。
【０００４】
上記入射光式の測光方式の利点は、被写体の明暗差を忠実に再現することができるために、精度の高い露出計測を行なうことが可能であり、また、被写体面照度を計測するようにしているために、逆光時の撮影等において悪影響を与える余分な光がカットされた露出計測が行なわれることとなり、正確な露出計測を行なうことができるという点にある。
【０００５】
一方、上記反射光式の測光方式とは、図１５に示すように、電子的撮像装置であるカメラ１０１Ａによる撮像が行われる際に、この撮像に先立って撮像環境の測光が行なわれる。この場合において、光源１０２から発せられ、上記カメラ１０１Ａの撮像視野内の被写体１０３によって反射される反射光、すなわち、被写体輝度を測光するものであって、例えば、上記カメラ１０１Ａの本体内に一体的に内蔵された計測手段である内蔵露出計等によって、上記カメラ本体１０１Ａの位置において、上記カメラ本体１０１Ａの内蔵露出計等を、上記被写体１０３へ向けることで、上記被写体１０３の被写体輝度平均を測光し、この計測値に基づいて露出値等を決定する方式をいうものである。
【０００６】
上記反射光式の測光方式を適用する計測器においては、測光する部分の輝度平均が１８％（パーセント）の灰色面であると仮定して露出値が決定されるように設定されているため、被写体の明暗差は中庸に再現されるようなっており、このため極端な測定誤差がなく、無難な露出値を得ることができるという利点がある。
【０００７】
また、上記反射光式の測光方式においては、上記被写体１０３からの反射光を測定する方式であるために、計測手段である露出計等をカメラ１０１Ａの本体内に内蔵することが可能であるので、例えば、動きのある被写体１０３等に対しても、容易にかつ迅速に離れた位置から適正露出の決定を行なうことができるという利点もある。
【０００８】
従って、現在においては、上記反射光式の測光方式を適用した計測器が主流となっており、種々の計測器である露出計等が一般的に実用化されている。
【０００９】
【発明が解決しようとする課題】
ところが、上記入射光式の測光方式を適用する計測器においては、上記被写体１０３の直前の位置において、計測手段である単体露出計１０４等によって測光を行なう方式であるので、上記単体露出計１０４自体をカメラ本体１０１に組み込むことができないという問題点がある。
【００１０】
そのために、上記被写体１０３の位置において計測した後、この計測した情報に基づいて露出値が決定されると、上記決定された露出値等は上記カメラ１０１本体側に供給される必要がある。
【００１１】
上記決定された露出値等を、上記単体露出計から上記カメラ１０１本体側に対して供給する場合には、入力ミス等が生じてしまう可能性が考えられる。さらに、上記計測された情報に基づいてカメラ本体側で露出値を決定する際にも、正確な適正露出値を得るためには、熟練した技術が必要とされるという問題点がある。
【００１２】
そして、上記入射光式の測光方式を適用する計測手段である単体露出計等においては、その形態が大きなものとなってしまうために携帯性が悪く、持ち運びに不便であるという問題点があると共に、計測のための電源を必要とするので、単体露出計本体内に電源を備える必要が生じ、このために、上記単体露出計の回路規模も大きなものとなり、かつ消費電力も大きくなってしまうという問題点がある。
【００１３】
一方、上記反射光式の測光方式を適用する計測器によれば、例えば、逆光時の撮影等を行なう場合等のように、上記被写体１０３とその背景（バック）との明暗差が大きい撮影条件での計測を行なう場合には、上記被写体１０３の背景の反射率によっては、画面内のハイライト部の像が潰れてしまったりする場合がある。このように、背景（バック）の反射率等が露出値に影響を与えてしまう場合があるため、計測手段によって計測して得られた露出値に対する補正が必要となる場合があるという問題点が生じる。そして、この露出補正値を決定するためには、熟練した技術が必要となるという問題点がある。
【００１４】
また、従来の電子的撮像装置における測色手段においては、反射光式の計測方式であるＴＴＬ測色等による測色が一般的に行なわれており、この場合には、計測された光の色が、光源から直接入射される色であるのか、あるいは、被写体から反射される光の色、すなわち、被写体の有する固有の色であるかの判別を行なうことが困難であるという問題点がある。
【００１５】
そこで、この問題を解決するために、例えば、ＲＧＢ三色センサ等を利用して測色を行なう方法等も考えられるが、この場合には、多種の光の混合、例えば、蛍光灯等の下においてビデオライト等を被写体に照射して撮影を行なう場合の測色計測等において、蛍光灯、ビデオライト等の多種の光が混合してしまい、計測結果に影響を与えてしまうという問題点がある。
【００１６】
本発明の目的は、上記従来の問題点を解消し、測光方式として、入射光式にみられる利点の高精度な計測機能を有効に利用して得られる撮影条件に係る情報を、より簡単な手段によってカメラ本体側に伝送し、より良好な条件での撮影を行なうことができるようにするトランスミッタ装置、および、これを使用する電子的撮像装置を提供するにある。
【００１７】
【課題を解決するための手段および作用】
本発明によるトランスミッタ装置は、対応する電子的撮像装置とは別体に構成された筐体部と、上記電子的撮像装置による撮影条件に係る情報を計測する計測手段と、自己の上記筐体部および上記電子的撮像装置のいずれにも収容または接続するために適合する記録媒体を着脱自在なコネクタ手段と、上記計測手段により計測された撮影条件に係る情報を、上記記録媒体に格納する情報格納手段とを具備することを特徴とする。
【００１８】
本発明による電子的撮像装置は、撮影条件に係る情報を計測するための計測手段と、自己の筐体部に着脱自在な記録媒体に上記撮影条件に係る情報を格納する情報格納手段とを有してなる別体のトランスミッタ装置に対応する電子的撮像装置であって、上記記録媒体を着脱自在としたコネクタ手段と、上記コネクタ手段に装着された上記記録媒体から上記撮影条件に係る情報を受け取るための情報受取手段と、少なくとも上記情報受取手段によって受け取られた撮影条件に係る情報に基づいて該当する撮影条件を設定することを可能にするための撮影条件設定手段とを具備することを特徴とする。
【００１９】
本発明による電子的撮像装置は、対応する電子的撮像装置とは別体に構成された筐体部と、上記電子的撮像装置による撮影条件に係る情報を計測する計測手段と、自己の上記筐体部および上記電子的撮像装置のいずれにも収容または接続するために適合する記録媒体を着脱自在な第１のコネクタ手段と、上記計測手段により計測された撮影条件に係る情報を、上記記録媒体に格納する情報格納手段とを具備したトランスミッタ装置と、上記記録媒体を着脱自在とした第２のコネクタ手段と、該第２のコネクタ手段に装着された上記記録媒体から上記撮影条件に係る情報を受け取るための情報受取手段と、少なくとも上記情報受取手段によって受け取られた撮影条件に係る情報に基づいて該当する撮影条件を設定することを可能にするための撮影条件設定手段とを具備した撮像装置とを具備したことを特徴とする。
【００２０】
本発明によるトランスミッタ装置は、少なくとも上記計測手段による計測と上記情報格納手段による格納を指示する操作部と、上記計測手段により計測された上記撮影条件に係る情報を表示する表示部を、さらに具備したことを特徴とする。
【００２１】
本発明によるトランスミッタ装置は、上記計測手段は、測光手段を含んでいることを特徴とする。
【００２２】
本発明によるトランスミッタ装置は、上記計測手段は、測色手段を含んでいることを特徴とする。
【００２３】
本発明によるトランスミッタ装置は、上記計測手段は、測距手段を含んでいることを特徴とする。
【００２７】
本発明による電子的撮像装置は、撮影条件に係る情報を計測するための計測手段と、上記計測手段による撮影条件に係る情報である第１の情報と、上記記録媒体から上記情報受取手段によって受け取られた撮影条件に係る情報である第２の情報と、上記第１の情報または第２の情報のいずれか一方の情報を優先的に用いて自己の該当する撮影条件を設定する優先手段とを具備することを特徴とする。
【００２８】
本発明による電子的撮像装置は、上記優先手段は、上記第２情報に優先的に依拠して自己の該当する撮影条件を設定するようしたことを特徴とする。
【００２９】
本発明による電子的撮像装置は、撮影条件に係る情報を計測するための計測手段と、上記計測手段による撮影条件に係る情報である第１の情報と、上記記録媒体を上記コネクタ手段に装着することにより上記情報受取手段によって受け取られた、上記トランスミッタ装置にて計測された撮影条件に係る情報である第２の情報と、上記第１の情報と第２の情報の双方の情報に基づく情報に依拠して自己の該当する撮影条件を設定する演算手段とを具備することを特徴とする。
【００３０】
本発明による電子的撮像装置は、撮影条件に係る情報を計測するための計測手段と、上記計測手段によって計測された撮影条件に係る情報である第１の情報と、上記記録媒体を上記コネクタ手段に装着することにより上記情報受取手段によって受け取られた、上記トランスミッタ装置にて計測された撮影条件に係る情報である第２の情報と、上記第１の情報または第２の情報のいずれか一方の情報を優先的に用いて自己の該当する撮影条件を設定する第１のモードと、上記第１の情報と第２の情報との双方の情報に基づく情報に依拠して該当する撮影条件を設定する第２のモードと、上記第１のモードと第２のモードの少なくとも２つのモードのうちのいずれか一方のモードを切換選択可能なモード選択手段とを具備することを特徴とする。
【００３９】
【実施例】
以下、図示の実施例によって本発明を説明する。
図１〜図３は、本発明の第１実施例の露出計機能を具備したトランスミッタ装置と電子的撮像装置とを示す図であって、図１は、この第１実施例の露出計機能を具備したトランスミッタ装置の外観を示す斜視図であり、図２は、このトランスミッタ装置の構成を示すブロック構成図である。また、図３は、上記トランスミッタ装置を利用して撮像を行なう電子的撮像装置であるカメラの構成を示すブロック構成図を示している。以下に、その構成を説明する。
【００４０】
なお、この第１実施例の上記トランスミッタ装置は、電子的撮像装置であるカメラとは別体に構成され、当該対応する電子的撮像装置であるカメラの撮像視野に配置され得るように設けられた筐体部によって構成されており、撮影条件に係る情報を得る機能の一つとして露出計機能を具備しているものである。ここで、別体とは、上記トランスミッタ装置の筐体と電子的撮像装置の筐体とは、その双方がそれぞれ別に構成されていることを示しているもので、上記トランスミッタ装置と電子的撮像装置との間において、例えば信号線等によって結ばれている場合をも含むものとする。
【００４１】
図１に示すように、この第１実施例のトランスミッタ装置１は、計測手段である露出計機能部を有すると共に、上記計測手段により計測した複数のデータについて演算等を行なうことでデータの変換等を行なう変換機能部と、上記計測データや演算データ等の情報を、例えば、無線または有線通信等によって電子的撮像装置側へと伝送し供給する伝送機能部を構成する情報供給手段と、上記電子的撮像装置とは別体に構成された筐体部とから構成されているものである。
【００４２】
すなわち、測光センサ、測色センサおよび測距センサ等が配置され、測光、測色または測距等を行なうための測光手段、測色手段、測距手段であり計測用受光部である計測部２と、この計測部２によって計測された各種のデータ値等を表示するための表示部３と、計測にあたって使用データ（詳細は後述する。）と計測項目（詳細は後述する。）との切り替えを行なうための切替ボタン４と、各種の選択項目等をキャンセルするためのキャンセルボタン５と、２段式よりなっており、第１段目のレリーズによってデータの送信を行い、第２段目のレリーズによってカメラ側のシャッターレリーズ等を行なって、上記カメラを遠隔操作するためのリモートコントロール手段であるレリーズボタン６と、上記使用データや計測項目を選択するためのカーソルボタン７と、このカーソルボタン７によって選択された各種項目の確定や、複数の計測点に係る計測値に所定の演算を施した演算結果の確定等を行なうための確定ボタン８と、上記トランスミッタ装置１の電源のオン（ＯＮ）／オフ（ＯＦＦ）を行なうための電源スイッチ９と、計測された計測値を、このトランスミッタ装置１内に配設されているメモリ１３（後述する。）に格納し、これを保持するためのスイッチである保持動作指示操作部であり、例えば、ロック式ボタン等からなる計測ボタン１０と、計測された計測値等の情報をカメラ側に送信するための伝送機能部を構成する情報供給手段である送信部１１等によって構成されている。
【００４３】
なお、上記計測ボタン１０は、上記トランスミッタ装置１の筐体部を、操作者等によって把持された場合において、把持手の拇指によって操作可能な位置に設けられており、かつ、上記把持手によって被測定光の入射が阻害されない位置に、上記計測用受光部である上記計測部２が配設されている。
【００４４】
また、図２に示すように、上記トランスミッタ装置１は、上記変換機能部を形成するＣＰＵ等からなるマイコン１２によって制御されるようになっており、また、このマイコン１２は、上記トランスミッタ装置１の計測手段である露出計機能部による複数の計測点に係る計測値に所定の演算を施し、その演算値を、情報供給手段（後述する。）によって上記カメラ側に供給可能にするための演算手段でもある。
【００４５】
上記マイコン１２には、メモリ１３が電気的に接続されており、上述のように、上記トランスミッタ装置１の計測手段によって計測された計測値等が格納され保持されるようになっていると共に、上記マイコン１２には、例えば、計測指示やデータの演算指示等の入力を行なうための指示入力装置１８が接続されており、上記マイコン１２に各種の指示を与えるようになっている。
【００４６】
また、上記マイコン１２には、測光回路１４、測色回路１５、測距回路１５ａがそれぞれ電気的に接続されており、この測光回路１４、測色回路１５、測距回路１５ａには、上記計測部２にそれぞれ配置されている測光センサ、測色センサ、または測距センサが接続されている。これによって、測光、測色、測距等が行なわれるようになっている。
【００４７】
さらに、上記マイコン１２には、伝送機能部を構成する情報供給手段であるリモコン送信回路１６が接続されており、このトランスミッタ装置１の計測手段によって計測された計測値等の情報をカメラ側に送信することができるようになっていると共に、上記レリーズボタン６によって上記カメラ側のシャッターレリーズ等のリモートコントロールができるようになっている。
【００４８】
またさらに、上記マイコン１２に接続された表示装置１７によって、上記表示部３に、計測された各種のデータ等の情報を表示するようになっている。
【００４９】
そして、上記トランスミッタ装置１に対して電源を供給するための電源１９等によって構成されている。
【００５０】
一方、上記トランスミッタ装置１の計測手段によって計測された撮影条件に係る情報等は、電子的撮像装置であるカメラ側に情報供給されることによって撮像のために利用されることとなる。そこで、図３に、上記電子的撮像装置であるカメラの構成を示すブロック構成図を示し、このカメラの構成を以下に説明する。
【００５１】
図３に示すように、この第１実施例における電子的撮像装置であるカメラは、ＣＰＵ等からなるマイコン３３によって制御されるようになっており、上記トランスミッタ装置１の計測手段によって計測され、上記トランスミッタ装置１の情報供給手段であるリモコン送信回路１６から送信された撮影条件に係る各種の情報等は、情報受取手段であるリモコン受信回路３７によって受信されるようになっている。このリモコン受信回路３７は、上記マイコン３３内に設けられたデータ判別手段３４と電気的に接続されており、上記受信された情報等の判別がなされるようになっている。
【００５２】
また、上記マイコン３３には、指示入力装置３５が電気的に接続されており、これによって、上記カメラを操作するための各種の指示が入力されるようになっている。
【００５３】
一方、上記電子的撮像装置であるカメラ本体の前面側には、撮影レンズ２０が配設されており、この撮影レンズ２０を通して被写体像が撮像されるようになっている。
【００５４】
すなわち、上記撮影レンズ２０を通して入射される光線は、上記撮影レンズ２０の後方に配置されているシャッター／絞り２１によって、その光量を調節されて、その後方に配置されているＣＣＤ２４に撮像されるようになっている。
【００５５】
ここで、上記マイコン３３には、撮影条件設定手段である露出制御回路２６を介してアクチュエータ２３が接続されており、上記マイコン３３は、上記トランスミッタ装置１からの撮影条件に係る情報等に基づいて、上記露出制御回路２６を介して上記アクチュエータ２３を制御するようになっており、これによって、上記シャッター／絞り２１等を駆動することで露出制御が行なわれるようになっている。
【００５６】
なお、上記露出制御回路２６は、上記トランスミッタ装置１の計測手段により計測され、上記情報供給手段によってカメラ側の情報受取手段により受け取られた撮影条件に係る情報等に基づいて、該当する撮影条件、例えば、ＡＥ（自動露出調節）、ＡＷＢ（自動ホワイトバランス調整）、ＡＦ（自動焦点調節；オートフォーカス）等のうちの、いずれか一つまたは複数の調整または設定を行なうことができる撮影条件設定手段を構成するものである。
【００５７】
また、上述したように、上記撮影レンズ２０を通して入射される被写体像は、その後方に配置されているＣＣＤ２４に撮像される。このＣＣＤ２４は、ＣＣＤドライバ２５を介して上記露出制御回路２６に接続されており、この露出制御回路２６は、上記ＣＣＤ２４も制御するようになっている。
【００５８】
そして、上記ＣＣＤ２４に入力された被写体像は、撮像処理回路２９によって処理されると共に、記録／再生回路３１を介してメモリカードインターフェース３６と電気的に接続されており、このメモリカードインターフェース３６への画像情報等の記録、もしくは、上記メモリカードインターフェース３６に記録されている画像情報等の再生等が行われるようになっている。なお、上記撮像処理回路２９内の測色回路３０は、反射光を利用したＡＷＢを実行するための回路部である。
【００５９】
このとき、上記記録／再生回路３１に接続されているビューファインダー３２によって、画像情報を観察することができるようになっている。つまり、上記撮影中の被写体像等の画像情報を、上記メモリカードインターフェース３６への記録を行なうと同時に、上記ビューファインダー３２に対してリアルタイムに、再生表示を行なうことができるようになっている。
【００６０】
他方、上記撮影レンズ２０と上記ＣＣＤ２４との間には、ミラー２２が配設されており、このミラー２２によって、上記撮影レンズ２０に入射された光線による被写体像は、その上方に反射されるようになっている。上記ミラー２２の上方部には、ＴＴＬ測光センサ２７を介して測光回路２８が配設されている。
【００６１】
そして、上記測光回路２８は、上記マイコン３３と電気的に接続されており、このマイコン３３の制御によってＴＴＬ測光、すなわち、上記反射光式の測光方式による測光が行われるようになっている。つまり、上記ミラー２２、ＴＴＬ測光センサ２７、測光回路２８等によって、反射光式の測光方式であるカメラ内蔵型の露出計測装置が構成されている。
そして、上記カメラ本体に対して電源を供給するための電源３８が配設され、これらによって、上記電子的撮像装置であるカメラは構成されている。
【００６２】
このように構成された上記第１実施例のトランスミッタ装置１およびカメラにおいて、上記トランスミッタ装置１によって露出の計測を行ない、その情報をカメラ側に供給する際の作用を、以下に説明する。
【００６３】
なお、上記トランスミッタ装置１による露出計測の基本的な作用については、上述の図１４において説明した入射光式の測光方式の計測手段である単体露出計１０４によって行われる際の計測手順と全く同様である。また、カメラ内蔵型の露出計測装置による露出計測の基本的な作用については、上述の図１５において説明した反射光式の測光方式の計測手段であるカメラ内蔵型露出計によって行われる際の計測手順と全く同様である（図１４、図１５参照）。
【００６４】
まず、図１に示す上記トランスミッタ装置１の電源スイッチ９によって、電源オン（ＯＮ）状態とした後、上記切替ボタン４によって、所望の項目の選択、すなわち、使用データ／計測項目のいずれかの選択を行なう。ここで、上記使用データには、上記トランスミッタ装置１の計測手段による計測データ（以降、ＲＣと略記する。）、カメラ側に内蔵されている上記カメラ内蔵型露出計による計測データ（以降、ＴＴＬと略記する。）、上記ＲＣとＴＴＬの平均データ（以降、ＭＩＸと略記する。）があり、また、上記計測項目には、測光、測色等の項目がある。
【００６５】
ここでは、まず初めに使用データを選択するものとすると、まず、上記トランスミッタ装置１の切替ボタン４によって、項目として使用データが選択されると、次に、上記使用データの中で、ＲＣ、ＴＴＬ、ＭＩＸのいずれのデータの計測を行なうかの選択をカーソルボタン７によって行ない、この選択されたデータ項目を上記トランスミッタ装置１に対して有効にするために上記確定ボタン８により決定する。さらに、上記切替ボタン４によって計測項目を選択した後、この計測項目中の測光、測色等のいずれかの項目を上記カーソルボタン７によって選択し、上記確定ボタン８によって決定する。このとき、これらの項目を同時に選択するようにしてもよい。これによって、上記トランスミッタ装置１による計測の準備が完了する。
【００６６】
次に、図１４に示すように、上記トランスミッタ装置１を、カメラの撮像視野内の被写体位置の計測を行なう計測点に配置して、上記トランスミッタ装置１の計測部２をカメラの撮影レンズ２０に対して正対させる。
【００６７】
そして、この位置において上記トランスミッタ装置１の計測ボタン１０を押すことで、計測された撮影条件に係る情報等は、上記トランスミッタ装置１内のメモリ１３（図２参照）内に、一時的に格納され保持される。なお、このとき、複数の計測点において計測が行なわれる場合の動作は、図４のフローチャートに示す通りである。この図４によって、複数の計測点において計測するの場合の動作を、以下に説明する。
【００６８】
図４に示すように、ステップＳ１において、上記トランスミッタ装置１の計測ボタン１０が押されることによって、上述のように、１回目の測光が行われ、ステップＳ２において、上記１回目の測光データＸ１が、上記メモリ１３に測光データＸ１として格納され保持されると共に、上記表示部３には、上記１回目の測光データＸ１が表示される。
【００６９】
続いて、ステップＳ３において、上述の１回目とは別の計測点において、上記トランスミッタ装置１の計測ボタン１０が、再度押されることにより、２回目の測光が行われ、ステップＳ４において、上記２回目の測光データＸ２が、上記マイコン１２によって演算され、上記メモリ１３に測光データＸ１＋Ｘ２として格納され保持されると共に、上記表示部３には、上記２回目の測光データＸ２が表示される。
【００７０】
同様にして、ステップＳ５，Ｓ６においてｎ回の計測、すなわち、複数の計測点（ｎ点）での測光が行われた後、ステップＳ７において、確定ボタン８が押されると、上記メモリ１３内に格納されているｎ回分の測光データＸ１＋Ｘ２＋…＋Ｘｎが、上記マイコン１２によって演算され、上記計測データの平均値ＸＡＶ＝｛（Ｘ１＋Ｘ２＋…＋Ｘｎ）／ｎ｝｝が算出されると共に、上記表示部３には、上記演算結果である平均値ＸＡＶが表示される（ステップＳ８）。
【００７１】
そして、上記演算結果である複数の計測点の平均値ＸＡＶが確定された後、ステップＳ９において、上記レリーズボタン６の１段目が押される（レリーズされる）ことで、上記平均値ＸＡＶの情報は、上記トランスミッタ装置１内のリモコン送信回路１６によって、カメラ側のリモコン受信回路３７対して送信される。これにより、上記トランスミッタ装置１によって計測された情報等が、カメラ側に供給されることとなる。
【００７２】
なお、上述のように、各ステップにおいて計測動作がなされた後、または、上記レリーズボタン６の１段目が押される（レリーズされる）ことによって、上記計測データ等がカメラ側に送信される以前の状態、すなわち、上記レリーズボタン６が押される直前までの各状態において、上記トランスミッタ装置１のキャンセルボタン５が押されると、その都度、計測動作をキャンセルすることができる。そして、その場合においては、上記メモリ１３に格納されている測光データ等が、すべて初期化されて、初期状態に戻るようになっている。
【００７３】
また、図５は、複数の計測点において計測を行なう場合の動作の、別の例を示すフローチャートである。
図５に示すように、複数の計測点を計測する場合においては、その計測の都度、トランスミッタ装置１内のマイコン１２によって平均値の演算を行なうようにしても同様である。
【００７４】
すなわち、ステップＳ１１において、上記トランスミッタ装置１の計測ボタン１０が押されることによって、上述と同様に１回目の測光が行われた後、ステップＳ１２において、上記１回目の測光データＸ１が、上記メモリ１３に測光データ｛（０＋Ｘ１）／１｝として格納され保持されると共に、上記表示部３には、上記１回目の測光データＸＡＶ１が表示される。
【００７５】
続いて、ステップＳ１３において、２回目の測光が行われ、これにより得られた測光データＸ２は、次のステップＳ１４において、上記マイコン１２によって、上記１回目の測光データＸＡＶ１に加算され、さらに、その平均値ＸＡＶ２＝｛（ＸＡＶ１＋Ｘ２）／２｝の演算が行われ、この演算結果である平均値ＸＡＶ２が、上記メモリ１３に格納され保持されると共に、上記表示部３に表示される。
【００７６】
このようにして、前回までの測光データの平均値の演算結果ＸＡＶ（ｎ−１）と、次のｎ回目の測光データＸｎとの平均値ＸＡＶｎ＝｛（ＸＡＶ（ｎ−１）＋Ｘｎ）／ｎ｝の演算を、測光の都度行なうようにして、複数の計測点の計測値の平均値ＸＡＶｎを求めた後（ステップＳ１５，Ｓ１６）、上記レリーズボタン６の１段目が押される（レリーズされる）ことにより、ｎ点計測の平均値ＸＡＶｎをカメラ側に送信することとなる。
【００７７】
なお、この図５に示す別の例においても、図示されていないが、上述の図４において説明した場合と同様に、上記レリーズボタン６が押される以前の状態において、上記キャンセルボタン５が押されることにより、その都度、計測動作をキャンセルすることができるようになっており、上記メモリ１３の測光データ等を初期化することができるようになっている。
【００７８】
上述したように、上記ステップＳ９（図４）、または、上記ステップＳ１７（図５）において、上記レリーズボタン６の１段目が押される（レリーズされる）ことによって、上記トランスミッタ装置１の情報供給手段である送信部１１から送信された撮影条件に係る情報等は、カメラ側のリモコン受信回路３７の受信部によって受信され、さらに、上記カメラ側のマイコン３３内のデータ判別手段３４による判別がなされる。
【００７９】
ここで、上記受信された情報、すなわち、上記トランスミッタ装置１の計測手段によって計測された撮影条件に係る情報等が、上記使用データ（ＲＣ，ＴＴＬ，ＭＩＸ等）、計測項目（測光、測色等）のそれぞれの、どのような計測データであるかの判別がなされる。
【００８０】
このとき、上記データ判別手段３４によって判別がなされた後の使用データＲＣ，ＴＴＬ，ＭＩＸ等は、それぞれ、図６〜図８のフローチャートに示すように処理される。
すなわち、上記トランスミッタ装置１の計測手段によって計測され、上記送信部１１によって送信された撮影条件に係る情報等は、上記カメラ側のリモコン受信回路３７の受信部によって受信される。この撮影条件に係る情報等が、上記マイコン３３内のデータ判別手段３４によって、上記ＲＣであると判別されると、図６に示すフローチャートによって処理され、また、上記撮影条件に係る情報等が、上記ＴＴＬであると判別されると、図７に示すフローチャートによって処理される。そして、上記撮影条件に係る情報等が、上記ＭＩＸであると判別されると、図８に示すフローチャートによって処理される。
【００８１】
まず、上記トランスミッタ装置１の計測手段によって計測され、情報供給手段によりカメラ側に送信された撮影条件に係る情報等が、使用データがＲＣ、計測項目が測光であると上記データ判別手段３４によって判別された場合の動作シーケンスを、図６によって、以下に説明する。
【００８２】
図６に示すように、ステップＳ２１において測光が行なわれ、ステップＳ２２において確定ボタン８が押されることで、上記測光データが確定されると共に、例えば、複数の計測点における計測が行われた場合には、上記マイコン１２における演算が行われる。
【００８３】
続いて、ステップＳ２３において、上記レリーズボタン６の１段目が押される（レリーズされる）ことによって、上記計測され演算等がなされて確定された撮影条件に係る情報、例えば、測光値等の情報等が、次のステップＳ２４において、上記トランスミッタ装置１側の送信部１１からカメラ側のリモコン受信回路３７の受信部へと送信される。
【００８４】
なお、上述のステップＳ２１〜Ｓ２４における上記トランスミッタ装置１（リモコン側）の動作シーケンスは、上述の図４、図５において詳細に説明したものと同様の動作シーケンスであって、簡略化して説明したものである。
【００８５】
そして、上述のステップＳ２４において、上記トランスミッタ装置１の送信部１１によって送信された撮影条件に係る情報等の信号は、次のステップＳ２５において、カメラ側の上記リモコン受信回路３７の受信部によって受信される。このとき、上記撮影条件に係る情報等が受信されなかった場合には、ステップＳ２６において、上記表示部３等にその旨の警告がなされる一方、上記受信された撮影情報に係る情報等の信号が、上記マイコン３３内のデータ判別手段３４によって、上記使用データがＲＣであるとの判別がなされると、ステップＳ２７において、上記受信された撮影情報に係る情報等に基づいて、上記カメラ側のマイコン３３による演算がなされた後、最適露出値が算出されると共に、その演算結果に基づいて上記撮影条件設定手段である露出制御回路２６が、シャッター／絞り２１を駆動し、例えば、シャッター速度値、絞り値等の設定がなされる。
【００８６】
続いて、次のステップＳ２８で、カメラの操作者（撮影者）等によって、上記レリーズボタン６の２段目が押される（レリーズされる）ことにより、上記トランスミッタ装置１のリモートコントロール手段によるシャッターレリーズ操作がなされて撮影が行われる。
【００８７】
そして、ステップＳ２９において、この回の撮影動作において、上記メモリ１３等に格納されていたデータおよび情報等が、すべて初期化（クリア）され、上記トランスミッタ装置１およびカメラは、次の撮影ための待機状態に戻る。
【００８８】
次に、カメラ側の内蔵露出計等によって、ＴＴＬ測光が行われる場合の動作シーケンスを、図７によって以下に説明する。
まず、図７に示すように、ステップＳ３１において、上記トランスミッタ装置１のレリーズボタン６の１段目が押される（レリーズされる）。すると、ステップＳ３２において、上記トランスミッタ装置１の送信部１１から、カメラ側のリモコン受信回路３７の受信部に対して信号が送信されるが、このとき、上記トランスミッタ装置１の計測手段においては、露出計測等の計測動作が行われていないので、上記送信信号の中には、測光値等の情報は含まれていない。
【００８９】
次にステップＳ３３において、上記トランスミッタ装置１側の送信部１１からの信号が、カメラ側のリモコン受信回路３７の受信部によって受信される。このとき、上記送信部１１からの信号が受信されなかった場合には、ステップＳ３４において、上記表示部３等にその旨の警告がなされる一方、上記受信された信号が、上記マイコン３３内のデータ判別手段３４によって判別され、信号中に測光値等の情報が含まれていないことが判別されると、ステップＳ３５において、上記ＴＴＬ測光センサ２７、測光回路２８等からなるカメラ側の内蔵露出計等によるＴＴＬ測光が行われる。
【００９０】
そして、ステップＳ３６において、上記カメラ側の内蔵露出計等による計測結果に基づいて、カメラ側のマイコン３３による演算が行われて、最適露出値が算出されると共に、その演算結果に基づいて上記撮影条件設定手段による撮影条件の設定が行われる。
【００９１】
続いて、次のステップＳ３７で、カメラの操作者（撮影者）等によって、上記レリーズボタン６の２段目が押される（レリーズされる）ことにより、上記トランスミッタ装置１のリモートコントロール手段によるシャッターレリーズ操作がなされて撮影が行われる。
【００９２】
そして、ステップＳ３８において、この回の撮影動作において、上記メモリ１３等に格納されていたデータ、情報等が、すべて初期化（クリア）され、上記トランスミッタ装置１およびカメラは、次の撮影のための待機状態に戻る。
【００９３】
また、上記データ判別手段３４によって、上記トランスミッタ装置１側から送信された情報等が、使用データがＭＩＸ、計測項目が測光であると判別された場合の動作シーケンスを、図８によって以下に説明する。
図８に示すように、ステップＳ４１において測光が行なわれ、ステップＳ４２において確定ボタン８が押されることで演算が行われ、さらに、ステップＳ４３において、上記レリーズボタン６の１段目が押される（レリーズされる）ことで、上記トランスミッタ装置１の計測手段により計測され、マイコン１２において演算がなされた測光値等の撮影条件に係る情報等が、ステップＳ４４において、上記トランスミッタ装置１の送信部１１から、カメラ側のリモコン受信回路３７の受信部へと送信される。
【００９４】
なお、上述のステップＳ４１〜Ｓ４４の間における上記トランスミッタ装置１（リモコン側）の動作シーケンスは、上述の図４、図５において詳細に説明したものと同様の動作シーケンスであって、簡略化して説明したものである。
【００９５】
そして、上述のステップＳ４４において、上記トランスミッタ装置１の送信部１１によって送信された撮影条件に係る情報等の信号は、次のステップＳ４５において、カメラ側の上記リモコン受信回路３７の受信部によって受信される。
【００９６】
なお、ここで、上記トランスミッタ装置１の計測手段によって計測され、カメラ側の情報受取手段であるリモコン受信部によって受信された、上記撮影条件に係る情報等について、第２情報ということとする。
【００９７】
上述のステップＳ４５において、上記撮影条件に係る情報等が受信されなかった場合には、ステップＳ４６において、上記表示部３等にその旨の警告がなされた後、ステップＳ４８のＴＴＬ測光へと移行する一方、上記受信された撮影条件に係る情報等が、上記マイコン３３内のデータ判別手段３４によって判別され、使用データがＭＩＸ、計測項目が測光であると判別されると、ステップＳ４７において、上記送信されたＲＣデータは、カメラ側のメモリ等に一時的に格納される。
【００９８】
続いて、ステップＳ４８において、カメラ側の内蔵露出計によってＴＴＬ測光が行われる。このカメラ側の内蔵露出計によって計測された撮影条件に係る情報等について、第１情報ということとする。
【００９９】
そして、次のステップＳ４９において、上記カメラ側の内蔵露出計によって計測された計測値、すなわち、第１情報と、上記トランスミッタ装置１の計測手段によって計測され、カメラ側に送信されてメモリ等に格納されたＲＣデータ、すなわち、第２情報とが、上記マイコン３３によって演算されることとなる。
【０１００】
ここで、例えば、上記第１情報または第２情報のいずれか一方の情報を、優先手段でもある上記データ判別手段３４によって優先的に用いて自己の該当する撮影条件の設定を行なう第１モードと、上記第１情報または第２情報との双方の情報に基づく情報、すなわち、上記第１情報と第２情報との平均値に依拠して自己の該当する撮影条件の設定を行なう第２モードとの内、少なくともいずれか一方のモードを、モード選択手段でもある上記データ判別手段３４によって、切り換え選択が行われる。
【０１０１】
そして、ステップＳ５０において、上記演算結果に基づく最適露出値が算出され、また、上記撮影条件設定手段による撮影条件の設定が行われる。
【０１０２】
続いて、次のステップＳ５１で、カメラの操作者（撮影者）等によって、上記レリーズボタン６の２段目が押される（レリーズされる）ことにより、上記トランスミッタ装置１のリモートコントロール手段によるシャッターレリーズ操作がなされて撮影が行われる。
【０１０３】
そして、ステップＳ５２において、この回の撮影動作において、上記メモリ等に格納されていたデータ、情報等が、すべて初期化（クリア）され、上記トランスミッタ装置１およびカメラは、次の撮影のための待機状態に戻る。
【０１０４】
以上説明したように上記第１実施例によれば、入射光式の高精度な露出計測機能を具備する上記トランスミッタ装置１によって計測された撮影条件に係る情報等を、無線または有線通信によって電子的撮像装置であるカメラ側へと伝送することによって供給するようにしたので、より正確な適正露出値等を得ることができると共に、この露出値等をカメラ側に設定するための手間を省略することができ、より良好な条件で撮影を行なうことができる。
【０１０５】
図９は、本発明の第２実施例を示す図であって、図９は、この第２実施例のトランスミッタ装置および電子的撮像装置についての概念を示す図である。
【０１０６】
図９に示すように、この第２実施例のトランスミッタ装置６０は、上述の第１実施例のトランスミッタ装置１と同様、電子的撮像装置であるカメラ５０と別体に構成されており、当該対応する電子的撮像装置であるカメラ５０の撮像視野に配置され得るように設けられた筐体部によって構成され、露出計機能を具備しているものである。
【０１０７】
そして、上記トランスミッタ装置６０内に、着脱自在に配設された計測結果を格納したメモリカード６０Ａ等を、カメラ５０側のカードスロット等に装着することができるようになっている。これによって、上記トランスミッタ装置６０側の撮影条件に係る各種情報等を、無線や有線等の手段を用いることなくカメラ５０側に簡単に供給することができるようになっている。なお、上記トランスミッタ装置６０の筐体部内に着脱自在に配設されている情報供給手段であるメモリカード６０Ａとして画像データ格納用メモリカード等を兼用し、これを上記筐体部より取り外し、上記画像データ格納用メモリカード等のコネクタ部を、これと適合する情報受取手段であるカメラ５０側のカードスロット等のコネクタ部に接続することで、上記撮影条件に係る情報等を、上記トランスミッタ装置６０側からカメラ５０側へと供給するようにしてもよい。
【０１０８】
次に、図１０は、本発明の第３実施例の露出計機能を具備したトランスミッタ装置の外観を示す斜視図であり、図１１は、このトランスミッタ装置の構成を示すブロック構成図である。そして、図１２は、上記トランスミッタ装置を利用して撮影を行なう電子的撮像装置であるカメラの構成を示すブロック構成図を示している。上記トランスミッタ装置６０の構成について、図１０によって以下に説明する。
図１０に示すように、上記トランスミッタ装置６０は、計測手段である露出計機能部を有すると共に、上記計測手段により計測した複数のデータについて演算等を行なうことでデータの変換を行なうデータ変換機能部を有している。
【０１０９】
また、上記トランスミッタ装置６０は、例えば、画像データ格納用メモリカード等の外郭部と同様の形態からなっており、カメラ側が有しているカードスロット等のコネクタ部に適合するコネクタ部を有している。従って、情報供給手段である上記トランスミッタ装置６０側のコネクタ部を、これと適合する情報受取手段であるカメラ側のコネクタ部に接続することで、上記トランスミッタ装置６０の計測手段によって計測され、メモリ等に格納されている計測データや演算データ等の撮影条件に係る情報等を、上記トランスミッタ装置６０側からカメラ側へと直接供給することができるようになっている。
【０１１０】
そして、上記トランスミッタ装置６０は、測光センサおよび測色センサが配置され、測光または測色を行なうための測光手段、測色手段、測距手段であり計測用受光部である計測部５１と、この計測部５１によって計測された各種のデータ値等を表示するための表示部５２と、計測にあたって上記使用データと計測項目との切り替えを行なうための切替ボタン５８と、各種の選択項目をキャンセルするためのキャンセルボタン５３と、上記使用データや計測項目を選択するためのカーソルボタン５９と、このカーソルボタン５９によって選択された各種項目の確定や、複数の計測点に係る計測値に所定の演算を施した演算結果の確定等を行なうための確定ボタン５７と、上記トランスミッタ装置６０の電源のオン（ＯＮ）／オフ（ＯＦＦ）を行なうための電源スイッチ５４と、計測された計測値を上記トランスミッタ装置１内に配設されているメモリ６２（後述する。）に格納し、保持するためのスイッチである保持動作指示操作部であり、例えば、ロック式ボタン等からなる計測ボタン５６と、計測された計測値等の情報をカメラ側に供給するためのカメラ側のメモリカードスロット内のコネクタ部に適合する情報供給手段であるコネクタ部５５等によって構成されている。
【０１１１】
なお、上記計測ボタン５６は、上記トランスミッタ装置６０の筐体部を、操作者等によって把持された場合において、把持手の拇指によって操作可能な位置に設けられており、かつ、上記把持手によって被測定光の入射が阻害されない位置に、上記計測用受光部である上記計測部５１が配設されている。
【０１１２】
また、図１１に示すように、上記トランスミッタ装置６０は、上記変換機能部を形成するＣＰＵ等からなるマイコン６１によって制御されるようになっており、また、このマイコン６１は、上記トランスミッタ装置１の計測手段である露出計機能部による複数の計測点に係る計測値に所定の演算を施し、その演算値を、情報供給手段（後述する。）によって上記カメラ側に供給可能にするための演算手段でもある。
【０１１３】
また、上記マイコン６１には、メモリ６２が電気的に接続されており、上述のように、上記トランスミッタ装置６０の計測手段によって計測された計測値等が格納され保持されるようになっていると共に、上記情報供給手段を構成するコネクタ部５５を有するインターフェース回路６３が、電気的に接続されている。これにより、上記メモリ６２に格納された撮影条件に係る情報等が、上記インターフェース回路６３によって、上記コネクタ部５５を介してカメラ側に供給されるようになっている。
【０１１４】
そして、上記マイコン６１には、例えば、計測指示やデータの演算指示等の入力を行なうための指示入力装置６６が接続されており、上記マイコン６１に各種の指示を与えるようになっている。
【０１１５】
また、上記マイコン６１には、測光回路６４、測色回路６５、測距回路６５ａがそれぞれ電気的に接続されており、この測光回路６４、測色回路６５、測距回路６５ａには、上記計測部５１にそれぞれ配置されている測光センサ、測色センサ、測距センサが接続されており、これによって、測光、測色、測距等を行なわれるようになっている。
【０１１６】
さらに、上記マイコン６１に接続された表示装置６７によって、上記表示部５２に、計測された各種のデータ等を表示するようになっている。
そして、上記トランスミッタ装置６０に電源を供給するための電源６８等によって構成されている。
【０１１７】
一方、上記トランスミッタ装置６０の計測手段によって計測された撮影条件に係る情報等は、電子的撮像装置である上記カメラ側へと情報供給されることによって撮像のために利用されることとなる。そこで、図１２に、上記電子的撮像装置であるカメラの構成を示すブロック構成図を示し、このカメラの構成を以下に説明する。
【０１１８】
なお、この第３実施例における上記電子的撮像装置であるカメラは、上述の第１実施例のカメラと基本的に同様の構成からなっており、上述の第１実施例のカメラにおけるリモコン受信回路３７に代えて、インターフェース回路６９が設けられている点が異なる。従って、この図１２においては、上述の第１実施例と同様の構成部材について、同じ符号を付してその詳細な説明を省略する。
【０１１９】
図１２に示すように、この第２実施例のカメラも、ＣＰＵ等からなるマイコン３３によって制御されるようになっており、上記トランスミッタ装置６０の計測手段によって計測され、該トランスミッタ装置６０内のメモリ６２に格納された撮影条件に係る各種の情報等は、上記トランスミッタ装置６０の情報供給手段であるコネクタ部５５と、カメラ側のインターフェース回路６９のコネクタ部とが接続されることによって、上記トランスミッタ装置６０側からカメラ側へと供給されるようになっている。
【０１２０】
上記インターフェース回路６９は、カメラ側のメモリカードスロット部に設けられ、外部媒体と接続するためのコネクタ部と、このコネクタ部に接続されている外部媒体が、上記トランスミッタ装置６０であるのか、あるいは、上記画像データ格納用メモリカード等であるのかを弁別する弁別手段７１と、この弁別手段７１の弁別結果によって切り替えを行なう切替装置７２と、カードインターフェース７０等によって構成されている。
【０１２１】
そして、上記弁別手段７１によって、上記コネクタ部に上記画像データ格納用メモリカード等が接続されていると弁別された場合には、上記コネクタ部からの接続は、上記切替装置７２によって上記カードインターフェース７０側に切り替えられて、このカードインターフェース７０に接続されている上記記録・再生回路３１へと画像データ等のデータが送られるようになっていると共に、上記カードインターフェース７０は、上記マイコン３３と接続されており、このマイコン３３との間で、例えば、画像データ等のやりとりが行われるようになっている。
【０１２２】
一方、上記弁別手段７１によって、上記コネクタ部に上記トランスミッタ装置６０が接続されていると弁別された場合には、上記コネクタ部からの接続は、上記切替装置７２によって、上記マイコン３３内に設けられたデータ判別手段３４に接続されるように切り替えが行われるようになっている。
【０１２３】
このように構成された上記第３実施例のトランスミッタ装置６０の計測手段によって露出等の計測を行ない、その露出データ等の撮影条件に係る情報等が、上記カメラ側に供給される際の作用を、以下に説明する。
【０１２４】
なお、このとき、上記トランスミッタ装置６０の計測手段による露出計測手順については、上述の図１４において説明した入射光式の測光方式の計測器によって行われる計測手順と同様であり、また、カメラ内蔵型の露出計測装置による露出計測の基本的な計測手順については、上述の図１５において説明した反射光式の測光方式の計測器による計測の手順とまったく同様である。
【０１２５】
また、上記トランスミッタ装置６０は、例えば、メモリカード等の外郭部と同様の形態を有しており、さらに、カメラ側のカードスロットのコネクタ部に適合する上記コネクタ部５５を有するものとして説明する。
【０１２６】
まず、上記トランスミッタ装置６０の電源スイッチ５４によって、電源オン（ＯＮ）状態とした後、上記切替ボタン５８によって、所望の項目の選択、すなわち、上記使用データ（ＲＣ，ＴＴＬ，ＭＩＸ等）および上記計測項目（測光、測色等）のいずれの項目によって計測を行なうかの選択を行なう。ここでは、まず初めに使用データを選択した後、計測項目を選択する手順について説明する。
【０１２７】
上記トランスミッタ装置６０の切替ボタン５８によって、項目として使用データが選択されると、次に、上記使用データの中で、ＲＣ、ＴＴＬ、ＭＩＸ等のいずれのデータの計測を行なうのかの選択をカーソルボタン５９によって行ない、この選択されたデータ項目が、上記トランスミッタ装置６０に対して有効とするために上記確定ボタン５７を押すことによって確定する。
【０１２８】
続いて同様に、上記切替ボタン５８によって計測項目を選択した後、この計測項目中の測光、測色等のいずれの項目によって計測するかの選択を上記カーソルボタン５９によって行ない、上記確定ボタン５８を押すことによって確定する。これによって、上記トランスミッタ装置６０による露出計測の準備が完了する。
【０１２９】
次に、上述の図１４において説明した入射光式の測光方式の計測手段の手順と同様に、上記露出計機能を具備したトランスミッタ装置６０をカメラの撮像視野内の被写体位置の計測を行なう計測点に配置させ、上記トランスミッタ装置６０の計測部５１をカメラの撮影レンズ２０に対して正対させることで計測が行なわれる。
【０１３０】
そして、この位置において上記トランスミッタ装置６０の計測ボタン５６を押すことで、上記計測手段によって計測された撮影条件に係る情報等は、上記トランスミッタ装置６０内のメモリ６２等に一時的に格納され保持される。
【０１３１】
なお、このとき、複数の計測点において計測を行なう場合の動作は、上述の第１実施例において説明した図４、図５に示すフローチャートによる一連の動作シーケンスと同様であるので、ここでは、その説明を省略する。
ただし、上述の第１実施例においては、上記レリーズボタン６の１段目が押される（レリーズされる）ことによって、上記計測データの平均値ＸＡＶの情報等を、上記トランスミッタ装置１内のリモコン送信回路１６から、カメラ側のリモコン受信回路３７対して送信するようになっているが、この第３実施例の上記トランスミッタ装置６０においては、例えば、複数の計測点における計測を行なった後において、上記確定ボタン５５を押すことで、上記メモリ６２等に格納されているそれぞれの計測点における撮影条件に係る情報等が、上記マイコン６１によって演算（平均値の算出等）され、その演算結果が、再度、上記メモリ６２等に格納されて保持されることとなる。
【０１３２】
そして、上記トランスミッタ装置６０のコネクタ部５５と、これに適合するカメラ側のカードスロットのコネクタ部とを接続することにより、上記計測手段により計測され演算がなされた後、上記メモリ６２に一時的に格納され保持されている撮影条件に係る情報等は、上記トランスミッタ装置６０側からカメラ側に伝送されることとなる。
なお、ここでは、上記カメラ側のカードスロット等は１スロットだけ具備されているものとして説明を行なうものとするが、各別にカードスロットを備えるようにしても良い。
【０１３３】
上述のように、上記トランスミッタ装置６０は、例えば画像データ格納用メモリカード等と同様の形態を有しており、かつ、カメラ側のカードスロット等のコネクタ部に適合するコネクタ部５５を有している。そして、このコネクタ部５５が、これに適合する上記カメラ側のカードスロット等のコネクタ部と接続された場合において、上記カメラ側の電源スイッチがオン（ＯＮ）状態にある場合には、上記カメラ側のインターフェース回路６９内の弁別手段７１は、上記カメラ側のカードスロット等のコネクタ部に、どのような媒体が接続されたかの弁別を行なう。
【０１３４】
このとき、上記弁別手段７１によって、上記カメラ側のカードスロット等のコネクタ部に、上記トランスミッタ装置６０のコネクタ部５５が接続されていることが確認されると、上記切替手段７２は、カメラ側のマイコン３３側へと、その接続を切り替え、上記マイコン３３によって、上記トランスミッタ装置６０の計測手段によって計測された上記撮影条件に係る情報等が、自動的に上記トランスミッタ装置６０内のメモリ６２側から読み出される。これによって、上記メモリ６２に一時的に格納されていた撮影条件に係る情報等は、上記トランスミッタ装置６０側からカメラ側へと伝送されることとなる。
【０１３５】
そして、上記カメラ側のマイコン３３に伝送された上記撮影条件に係る情報等は、上記マイコン３３内のデータ判別手段３４によって、使用データがＲＣであるのか、ＭＩＸであるのか、あるいは、測定項目が測光であるのか、測色であるのか等の判別がなされ、さらに、上記データ判別手段３４によって判別された情報に基づいて、上記マイコン３３による適正露出値等が算出されることとなる。
【０１３６】
以上説明したように上記第３実施例によれば、上記トランスミッタ装置６０を上記画像データ格納用メモリカード等と同様の形態とし、これにカメラ側のカードスロット等のコネクタ部に適合するコネクタ部５５を具備するように構成したので、上記トランスミッタ装置６０のコネクタ部５５と、上記カメラ側のカードスロット等のコネクタ部とを接続することで、上記トランスミッタ装置６０の計測手段によって計測され、上記メモリ６２等に保持されている撮影条件に係る情報等を、自動的にトランスミッタ装置６０側からカメラ側へと、容易に伝送することができる。
【０１３７】
なお、上記トランスミッタ装置６０側からカメラ側へと、撮影条件に係る情報等を伝送するために、上記双方の機器を接続すべく設けられたコネクタ部５５について、例えば、ケーブル付きのコネクタ部とする場合が考えられ、この場合においても同様に、上記トランスミッタ装置６０側からカメラ側への撮影条件に係る情報等の伝送を、容易に行なうことができる。
【０１３８】
これと同時に、上記トランスミッタ装置６０とカメラとを接続する場合に、上述のように、例えばケーブル付きコネクタ等を適用する有線通信によれば、上記トランスミッタ装置６０とカメラ側との電源３８を共用することができるようになる。従って、上記トランスミッタ装置６０側において、上記電源６８を配設する必要がなく、上記トランスミッタ装置６０に対してカメラ側から電力の供給を行なうように構成することができる。これによって、上記トランスミッタ装置６０をより小型化することが可能となる。
【０１３９】
ところで、上述のように、上記カメラ側のカードスロット等が１スロットだけしか具備されていない場合においては、上記トランスミッタ装置６０を上記情報等の伝送のためにカメラ側のカードスロット等に接続した場合には、例えば、画像を記録するための画像データ格納用メモリカード等を接続することができない状態となる。従って、上記カメラにおいて、上記カードスロット等を２スロット以上配設するようにすれば、上記トランスミッタ装置６０と、上記画像データ格納用メモリカード等の両方を、同時に接続することが可能である。
【０１４０】
そこで、上述の第３実施例の変形例の電子的撮像装置であるカメラのブロック構成図を、図１３に示し、この第３実施例の変形例のカメラの構成について、以下に説明する。
【０１４１】
図１３に示すように、この第３実施例の変形例におけるカメラの構成は、上述の図１２に示す第３実施例のカメラにおける上記インターフェース回路６９を省略したものである。
【０１４２】
すなわち、上記インターフェース回路６９に代えて、メモリカードインターフェース３６とトランスミッタ装置インターフェース７３とを、それぞれ配設するようにしたものであって、このメモリカードインターフェース３６とトランスミッタ装置インターフェース７３には、それぞれ独立したコネクタ部を設け、上記メモリカードインターフェース３６は、上記画像データ格納用メモリカード等を接続するための専用カードスロットを構成し、また上記トランスミッタ装置インターフェース７３は、上記トランスミッタ装置６０を接続するための専用カードスロットを構成するようにしたものである。
【０１４３】
上記メモリーカードインターフェース３６は、上記記録・再生回路３１と電気的に接続されており、上記画像データ等の記録・再生を行なうようになっており、また、上記トランスミッタ装置インターフェース７３は、上記マイコン３３のデータ判別手段３４と電気的に接続されて、上記トランスミッタ装置６０側から伝送される撮影条件に係る情報等の判別を行なうようになっている。
【０１４４】
このように構成することによって、上記第３実施例の変形例におけるカメラによれば、少なくとも２以上のカードスロット等を配設することで、一方のカードスロット等に上記トランスミッタ装置６０が接続されている場合においても、他方のカードスロット等に上記画像データ格納用メモリカード等を、同時に接続することができる。
【０１４５】
また、上記トランスミッタ装置６０を使用していない場合においても、上記カメラ側の専用カードスロットに収納しておくことで、カメラと一体的に携帯することとなり、携帯性の向上に寄与すると共に、上記トランスミッタ装置６０とカメラ本体とを別体に設けるようにしたことによって生じる、上記トランスミッタ装置６０を、携帯時において紛失してしまうという心配も解消することができる。
【０１４６】
一方、２つのカードスロット等において、接続する外部媒体、すなわち、上記トランスミッタ装置６０、画像データ格納用メモリカード等の媒体に対応する専用のカードスロット等とすることにより、上述の第２実施例における上記インターフェース回路６９を不要とすることができる。つまり、カメラ側のコネクタ部に接続されている外部媒体の弁別を行ない、その弁別結果に応じて接続を切り替えるようにするといった複雑な回路を不要とすることができ、カメラ側の小型化に寄与することができる。
【０１４７】
他方、上記カメラ側に配設する少なくとも２以上のカードスロット等のそれぞれに、上述の第３実施例のカメラにおけるような、インターフェース回路を配設するように構成すれば、上記トランスミッタ装置６０が接続されていない場合には、上記２以上のカードスロット等に対して、その空きスロットの数だけ、画像を記録するための画像データ格納用メモリカード等を接続することができるので、記録容量の増大化に寄与することができると共に、カメラ本体内のスペースを無駄にすることなく、効率の良い電子的撮像装置とすることができる。
【０１４８】
【発明の効果】
以上述べたように本発明によれば、測光方式として入射光式にみられる利点の高精度な計測機能を有効に利用した結果得られる各種の撮影条件に係る情報を、メモリカード等の情報記録媒体を利用することによって、より簡単に電子的撮像装置本体側に伝送し、より良好な条件での撮影を行なうことができるようにするトランスミッタ装置、および、これを使用する電子的撮像装置を提供することができる。
【図面の簡単な説明】
【図１】本発明の第１実施例の露出計機能を具備したトランスミッタ装置を示す外観斜視図。
【図２】上記図１のトランスミッタ装置のブロック構成図。
【図３】上記図１のトランスミッタ装置を利用して撮像を行なう電子的撮像装置の構成を示すブロック構成図。
【図４】上記図１のトランスミッタ装置によって複数の計測点において計測が行なわれる際の動作を示すフローチャート。
【図５】上記図１のトランスミッタ装置によって複数の計測点において計測が行なわれる際の動作の別の例を示すフローチャート。
【図６】上記図１のトランスミッタ装置により計測された情報等が、電子的撮像装置側のデータ判別手段により、ＲＣであると判別された場合の動作を示すフローチャート。
【図７】上記図１のトランスミッタ装置により計測された情報等が、電子的撮像装置側のデータ判別手段により、ＴＴＬであると判別された場合の動作を示すフローチャート。
【図８】上記図１のトランスミッタ装置により計測された情報等が、電子的撮像装置側のデータ判別手段により、ＭＩＸであると判別された場合の動作を示すフローチャート。
【図９】本発明の第２実施例のトランスミッタ装置および電子的撮像装置についての概念を示す図。
【図１０】本発明の第３実施例のトランスミッタ装置の外観を示す斜視図。
【図１１】上記図１０のトランスミッタ装置の構成を示すブロック構成図。
【図１２】上記図１０のトランスミッタ装置を利用して撮像を行なう電子的撮像装置の構成を示すブロック構成図。
【図１３】上記図１０のトランスミッタ装置を利用して撮像を行なう電子的撮像装置において、その変形例を示す電子的撮像装置の構成を示すブロック構成図。
【図１４】従来の入射光式の測光方式の計測手段である単体露出計による計測手順を説明する図
【図１５】従来の反射光式の測光方式の計測手段であるカメラ内蔵型露出計による計測手順を説明する図。
【符号の説明】
１、６０……トランスミッタ装置（計測手段、情報供給手段、リモートコントロール手段）
２，５１……計測部（計測用受光部）
３，５２……表示部
４，５８……切替ボタン
５，５３……キャンセルボタン
６……レリーズボタン
７，５９……カーソルボタン
８，５７……確定ボタン（保持動作指示操作部）
９，５４……電源スイッチ
１０……送信部（情報供給手段）
１２，３３……マイコン（ＣＰＵ；演算手段）
１３，６２……メモリ（情報格納手段）
２６……露出制御回路（撮影条件設定手段）
２８……測光回路（カメラ内蔵露出計；測光手段）
３４……データ判別手段
３６……メモリーカードインターフェース
３７……リモコン受信回路（情報受取手段）
５０……カメラ（電子的撮像装置）
５５……コネクタ部（トランスミッタ装置側）
５６……計測ボタン
６９……インターフェース回路（情報受取手段）
【図１】
0003709217.tif 000002
【図２】
0003709217.tif 000003
【図３】
0003709217.tif 000004
【図４】
0003709217.tif 000005
【図５】
0003709217.tif 000006
【図６】
0003709217.tif 000007
【図７】
0003709217.tif 000008
【図８】
0003709217.tif 000009
【図９】
0003709217.tif 000010
【図１０】
0003709217.tif 000011
【図１１】
0003709217.tif 000012
【図１２】
0003709217.tif 000013
【図１３】
0003709217.tif 000014
【図１４】
0003709217.tif 000015
【図１５】
0003709217.tif 000016